(57)【要約】【課題】昆虫類の侵入をより防止することができる間仕切り装置を提供する。【解決手段】昆虫忌避剤を含有し、可撓性を有する部材がシート状に形成された忌避シートであって、壁部に形成された開口部を覆うように壁部から垂下された複数の忌避シートを備えた。【選択図】図１
2020000612.tif 000002
【特許請求の範囲】
【請求項１】
昆虫忌避剤を含有し、可撓性を有する部材がシート状に形成された忌避シートであって、壁部に形成された開口部を覆うように前記壁部から垂下された複数の忌避シートを備える間仕切り装置。
【請求項２】
前記昆虫忌避剤は、エトフェンプロックスであることを特徴とする請求項１に記載の間仕切り装置。
【請求項３】
前記可撓性を有する部材は、ポリ塩化ビニールであることを特徴とする請求項２に記載の間仕切り装置。
【請求項４】
前記複数の忌避シートのそれぞれは、０．３ｍｍ以上の厚みに形成されることを特徴とする請求項３に記載の間仕切り装置。
【請求項５】
前記複数の忌避シートそれぞれの上端が着脱可能に取り付けられる複数の取付け部を備え、前記複数の忌避シートのそれぞれは、前記複数の取付け部を介して前記壁部から垂下されることを特徴とする請求項１〜請求項４のいずれか一項に記載の間仕切り装置。
【請求項６】
前記複数の取付け部は、それぞれ、前記忌避シートが挿入可能なスリットが２つ以上形成された略板状の部材であることを特徴とする請求項５に記載の間仕切り装置。
【請求項７】
前記壁部に固定され、前記複数の取付け部を着脱可能に吊下げ支持する支持部を更に備えることを特徴とする請求項５または請求項６に記載の間仕切り装置。
【発明の詳細な説明】
【技術分野】
【０００１】
本発明の実施形態は、開口部からの昆虫類の侵入を防止する間仕切り装置に関する。
【背景技術】
【０００２】
製造工場における作業エリアは、その外部、特に製造工場の外部に通じる通路または区画と、出入り口として形成された開口部を通じて連通されている。このような作業エリアへの異物の混入、特に昆虫類の侵入を防止することを目的として、この開口部を間仕切り装置により仕切ることが行われている。
【０００３】
この間仕切り装置は、開口部に対して、複数の樹脂製のシートを上方から吊り下げることによって、開口部を出入り可能に仕切るものである。また、昆虫類は、紫外線を多く含む光源に誘引される性質があるため、作業エリア内の光源から発せられる紫外線を低減するシートを有する間仕切り装置が知られている。
【発明の概要】
【発明が解決しようとする課題】
【０００４】
しかしながら、従来の間仕切り装置は、昆虫類を誘引する紫外線を低減させるものであるに過ぎず、例えば、臭気のような紫外線以外の要因により誘引される昆虫類の侵入を十分に防止することができるものではなく、昆虫類の侵入をより防止することができる間仕切り装置が求められている。
【０００５】
本発明は上述した問題点を解決するためになされたものであり、昆虫類の侵入をより防止することができる間仕切り装置、を提供することを目的とする。
【課題を解決するための手段】
【０００６】
上述した課題を解決するため、本発明の実施形態は、昆虫忌避剤を含有し、可撓性を有する部材がシート状に形成された忌避シートであって、壁部に形成された開口部を覆うように前記壁部から垂下された複数の忌避シートを備える。
【発明の効果】
【０００７】
本発明によれば、昆虫類の侵入をより防止することができる間仕切り装置を実現できる。
【図面の簡単な説明】
【０００８】
【図１】実施形態に係る間仕切り装置の構成を示す正面図である。
【図２】支持部の構成を示す正面図である。
【図３】支持部の構成を示す底面図である。
【図４】支持部の構成を示す側面図である。
【図５】取付け部の構成を示す正面図である。
【図６】図５のＡ−Ａ線断面図である。
【図７】取付け部に取り付けられた忌避シートを示す側断面図である。
【発明を実施するための形態】
【０００９】
以下、本発明の実施形態について図面を参照しつつ説明する。
【００１０】
（全体構成）
まず、本実施形態に係る間仕切り装置の全体構成について説明する。図１は、実施形態に係る間仕切り装置の構成を示す正面図である。
【００１１】
図１に示すように、間仕切り装置１は、工場における作業エリアと、工場外部と通じる区画とを連通させる開口部Ａに対して、この開口部Ａが形成される壁部Ｗに取り付けられる。間仕切り装置１は、可撓性を有するシート状の部材である複数の忌避シート１０と、これらの忌避シート１０それぞれが垂下されるように取り付けられる複数の取付け部１１と、複数の取付け部１１を着脱可能に吊り下げるように支持する支持部１２とを備える。
【００１２】
なお、以降の説明において、開口部Ａの水平幅方向を側方向、開口部Ａの高さ方向を上下方向、上下方向及び側方向に直交する方向を前後方向とし、前後方向においては、作業エリア外部側を前方とする。本実施形態において、間仕切り装置１は、壁部Ｗの前方側の面における開口部Ａの上方に支持部１２が固定されるものとする。
【００１３】
複数の取付け部１１は、複数の忌避シート１０が側方向に並置されるように支持部１２に支持され、また、互いに隣接する忌避シート１０それぞれの少なくとも一部が重なり合うように支持部１２に支持される。これによって、開口部Ａが忌避シート１０によって覆われ、作業エリアと開口部を介して作業エリアに通じる他の区画が間仕切り装置１により出入り可能に仕切られることとなる。
【００１４】
忌避シート１０は、上下方向において開口部Ａ以上の長さを有する可撓性を有するシート状の部材であり、好ましくは樹脂、本実施形態においては、ポリ塩化ビニールをシート状に形成したものである。また、忌避シート１０は、昆虫類を対象とする忌避剤として、化学式Ｃ２５Ｈ２８Ｏ３で示されるエトフェンプロックスを１重量％含有する。なお、忌避シート１０に含有される忌避剤として、ディート、六塩化ベンゼン、ユーカリオイルなどの他の昆虫忌避剤を用いても良い。
【００１５】
本実施形態において、忌避シート１０は、エトフェンプロックスを加えて撹拌したポリ塩化ビニールを、全体的に加熱して圧延することによってシート化して製造されるが、忌避シート１０の全体に亘ってエトフェンプロックスの含有率を均一とするために、忌避シート１０の厚みを０．３ｍｍ以上とすることが望ましい。
【００１６】
更に、忌避シート１０は、作業エリア内の光源から作業エリア外部に漏れる光のうち、昆虫類を誘引する紫外線を低減させるため、ＣＭＹＫカラーモデルにおいてイエロー成分を含む色に着色されると良い。なお、イエロー成分を含む光にも誘引される性質を持つ昆虫類も存在するため、イエロー成分を含みつつシアン成分やマゼンタ成分をも含む、オレンジ、またはグリーンなどの色に着色されると良い。また、忌避シート１０は、工場内の視認性を確保するため、透過性を有することが望ましい。よって、忌避シート１０は、可視光を透過させつつ、紫外線を低減するように形成されると良い。
【００１７】
（支持部の構成）
支持部の構成について説明する。図２、図３、図４は、それぞれ、支持部の構成を示す正面図、底面図、側面図である。
【００１８】
図２〜図３に示されるように、支持部１２は、全体として水平方向に長尺に形成されるとともに長手方向から見て略Ｌ字状に形成される固定レール１２０と、固定レール１２０において、互いに所定の間隔を空けて設けられた複数のフック１２２を備える。
【００１９】
固定レール１２０は、上下方向に延在する平板状の部材である第１基部１２０ａと、この基部の下端から前方に突出する平板状の部材である第２基部１２０ｂとを有する。第１基部１２０ａには、複数の固定孔１２１が形成され、固定レール１２０は、これらの固定孔１２１がネジ止めされることによって、壁部Ｗに固定される。
【００２０】
複数のフック１２２は、それぞれ、固定レール１２０における第２基部１２０ｂの前端から前方に突出する前方突出部１２２ａと、この前方突出部１２２ａの前端から上方に突出する上方突出部１２２ｂとを有する。複数のフック１２２には、後に詳述するように取付け部１１が吊り下げ支持される。
【００２１】
（取付け部の構成）
取付け部の構成について説明する。図５は、取付け部の構成を示す正面図である。図６は、図５のＡ−Ａ線断面図である。図７は、取付け部に取り付けられた忌避シートを示す側断面図である。
【００２２】
図５及び６に示すように、取付け部１１は、全体として、側方向幅が支持部１２よりも小さい略平板状に形成される。また、取付け部１１には、互いに側方向に所定の間隔を空けて形成される複数の孔部１１０と、複数の孔部１１０の下方に形成される第１スリット１１１と、この第１スリット１１１の下方に形成される第２スリット１１２と、この第２スリットの下方に形成される第３スリット１１３とが形成される。
【００２３】
また、取付け部１１には、第１スリット１１１と第２スリット１１２との間において所定距離だけ後方に突出する第１凸部１１４と、第２スリット１１２と第３スリット１１３との間において所定距離だけ前方に突出する第２凸部１１５とが形成される。
【００２４】
複数の孔部１１０は、複数のフック１２２に対応して形成される。具体的には、複数の孔部１１０のそれぞれは、フック１２２が孔部１１０に挿入可能にフック１２２の上方突出部１２２ｂ以上の大きさに形成される。また、複数の孔部１１０は、複数のフック１２２が複数の孔部１１０に挿入可能に、複数の孔部１１０間の離間距離が複数のフック１２２間の離間距離に合わせて形成される。
【００２５】
図５に示すように、第１スリット１１１、第２スリット１１２及び第３スリット１１３は、いずれも、その幅、即ち側方向長さＬが忌避シート１０の幅より大きく形成される。また、図６に示すように、第１スリット１１１、第２スリット１１２及び第３スリット１１３は、それぞれ、その高さ、即ち上下方向長さがＨ１，Ｈ２，Ｈ３に形成され、本実施形態において、高さＨ１〜Ｈ３は互いに同じ大きさとなっている。
【００２６】
Ｈ１、Ｈ２は、それぞれ、忌避シート１０の厚みより大きい高さであれば良く、最下段にある第３スリット１１３の高さＨ３が、忌避シート１０の厚みの２倍より大きい高さであれば良い。本実施形態においては、Ｈ１〜Ｈ３は、いずれも、忌避シート１０の厚みの２倍より大きい高さとなっている。なお、取付け部１１は、それぞれ忌避シート１０の厚みより大きい高さを有する少なくとも２つ以上のスリット、好ましくは３つ以上のスリットを有するものであれば良く、このうち最下段のスリットが忌避シート１０の厚みの２倍より大きい高さに形成されるものであれば良い。
【００２７】
本実施形態において、第１凸部１１４は、第１スリット１１１と第２スリット１１２との間における上下方向全域に亘って、また、取付け部１１の側方向全域に亘って後方に突出するように形成される。また、第２凸部１１５は、第２スリット１１２と第３スリット１１３との間における上下方向全域に亘って、また、取付け部１１の側方向全域に亘って前方に突出するように形成される。
【００２８】
なお、第１凸部１１４は、第１スリット１１１と第２スリット１１２との間において上下方向に所定距離だけ形成されれば良く、また、その側方向の大きさは、第１スリット１１１、第２スリット１１２、第３スリット１１３の側方向長さＬ以上に形成することが望ましい。同様に、第２凸部１１５も、第２スリット１１２と第３スリット１１３との間において上下方向に所定距離だけ形成されれば良く、また、その側方向の大きさは、側方向長さＬ以上に形成することが望ましい。
【００２９】
（忌避シートの取り付け方法）
取付け部への忌避シートの取り付け方法について説明する。図７は、取付け部に取り付けられた忌避シートを示す側断面図である。
【００３０】
図７に示すように、忌避シート１０は、前方から第１スリット１１１を通過され、後方から第２スリット１１２を通過された上端部が、前方から第３スリット１１３を通過されるとともに、後端部が前方から第３スリット１１３に挿入されることによって、取付け部１１に取り付けられる。この際、後方に位置する忌避シート１０の一部が第１凸部１１４に押し付けられ、前方に位置する忌避シート１０の一部が第２凸部１１５に押し付けられることによって、忌避シート１０が取付け部１１に対してより強く取り付けられる。
【００３１】
このように取付け部１１によれば、忌避シート１０に対して前方、後方または下方に向く所定以上の力が掛かった場合には取付け部１１から忌避シート１０が外れるようになっている。開口部Ａをフォークリフトが通過する際に、一部の忌避シート１０がフォークリフトに引っ掛かる状況においては、忌避シート１０が取付け部１１に対して容易に外れない場合には、間仕切り装置１が固定された開口部Ａ上方の壁部Ｗに過大な力が掛かることとなるが、取付け部１１によればこのような事態を防止することができる。
【００３２】
また、複数の取付け部１１を支持部１２に着脱可能に吊下げ支持することによって、忌避性能の低下した忌避シート１０が取り付けられた取付け部１１を支持部１２から外し、容易に新たな忌避シート１０を取付け部１１に取り付けることができるが、取付け部１１を直接に壁部Ｗに固定するようにしても良い。
【００３３】
本発明は、その要旨または主要な特徴から逸脱することなく、他の様々な形で実施することができる。そのため、前述の実施形態は、あらゆる点で単なる例示に過ぎず、限定的に解釈してはならない。本発明の範囲は、特許請求の範囲によって示すものであって、明細書本文には、何ら拘束されない。更に、特許請求の範囲の均等範囲に属する全ての変形、様々な改良、代替および改質は、全て本発明の範囲内のものである。
【符号の説明】
【００３４】
１  間仕切り装置
１０  忌避シート
１１  取付け部
【図１】
2020000612.tif 000003
【図２】
2020000612.tif 000004
【図３】
2020000612.tif 000005
【図４】
2020000612.tif 000006
【図５】
2020000612.tif 000007
【図６】
2020000612.tif 000008
【図７】
2020000612.tif 000009